【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
乳首形成装置であって、
前記装置は、胸部と適合するように湾曲している接触面を有する成形型を備え、
前記成形型は、前記胸部の上に位置付け可能であり、
前記接触面は、前記胸部上への固定のための接着剤を備え、
前記成形型は、前記接触面に沿って空洞を規定し、前記空洞は、前記胸部上に形成される乳首のサイズに適合し、前記空洞は、前記乳首への固定のための前記接着剤をさらに備えている、装置。
【請求項２】
前記成形型は、反転可能である、請求項１に記載の装置。
【請求項３】
前記成形型は、中空である、請求項１に記載の装置。
【請求項４】
前記成形型は、第１の堅さを有し、前記空洞は、前記第１の堅さよりも高い第２の堅さを有する、請求項１に記載の装置。
【請求項５】
前記空洞は、前記空洞までの１つ以上の開口部を規定する、請求項１に記載の装置。
【請求項６】
前記１つ以上の開口部と流体連通する真空ポンプをさらに備えている、請求項５に記載の装置。
【請求項７】
膨張性リングをさらに備え、前記膨張性リングは、前記胸部に接着可能な第１の表面を有し、前記膨張性リングは、開口部をさらに規定し、前記乳首は、前記開口部を通して位置付けられることが可能である、請求項１に記載の装置。
【請求項８】
乳首形成装置であって、前記装置は、
胸部の表面上への配置のための接触面を有する基部であって、前記基部は、開口部を規定し、前記開口部は、前記開口部を通して乳首を位置付けるためのサイズを有する、基部と、
前記基部から延在する柱状部であって、前記柱状部は、前記柱状部を通る開口部を規定する、柱状部と、
前記基部と反対の、前記柱状部の遠位端に位置付けられている付勢機構であって、前記柱状部は、前記付勢機構の高さが前記基部に対して調節可能であるようにネジ式である、付勢機構と、
前記柱状部内に位置付けられるためのサイズを有する移植片であって、前記移植片は、前記基部に近接して、前記胸部の表面の下方に位置付け可能である、移植片と
を備えている、装置。
【請求項９】
前記柱状部は、高さ調節可能部材を備えている、請求項８に記載の装置。
【請求項１０】
前記付勢機構は、第１の磁気部材を備えている、請求項８に記載の装置。
【請求項１１】
前記移植片は、前記第１の磁気部材と反対の極性の第２の磁気部材を備えている、請求項１０に記載の装置。
【請求項１２】
前記移植片は、強磁性材料を備えている、請求項１０に記載の装置。
【請求項１３】
前記胸部の表面の下方に配置するためのサイズを有する、非鉄系材料から成る第２の移植片をさらに備えている、請求項８に記載の装置。
【手続補正２】
【補正対象書類名】明細書
【補正対象項目名】００１３
【補正方法】変更
【補正の内容】
【００１３】
別の変形例では、概して、既存の胸部の上への配置のためのサイズを有するカップまたは成形型を備えている胸部拡大装置が利用され得る。カップまたは成形型は、密封可能である真空ポートを規定し、カップまたは成形型の内側表面は、胸部組織への固定のための接着剤を備え得る。
本願明細書は、例えば、以下の項目も提供する。
（項目１）
乳首形成装置であって、
胸部と適合するように湾曲している接触面を有する成形型を備え、
前記成形型は、前記胸部の上に位置付け可能であり、
前記接触面は、前記胸部上への固定のための接着剤を備え、
前記成形型は、前記接触に沿って空洞を規定し、前記空洞は、前記胸部上に形成される乳首のサイズに適合し、前記空洞は、前記乳首への固定のための前記接着剤をさらに備えている、
装置。
（項目２）
前記成形型は、反転可能である、項目１に記載の装置。
（項目３）
前記成形型は、中空である、項目１に記載の装置。
（項目４）
前記成形型は、第１の堅さを有し、前記空洞は、前記第１の堅さよりも高い第２の堅さを有する、項目１に記載の装置。
（項目５）
前記空洞は、前記空洞までの１つ以上の開口部を規定する、項目１に記載の装置。
（項目６）
前記１つ以上の開口部と流体連通する真空ポンプをさらに備えている、項目５に記載の装置。
（項目７）
膨張性リングをさらに備え、前記膨張性リングは、前記胸部に接着可能な第１の表面を有し、前記膨張性リングは、開口部をさらに規定し、前記乳首は、前記開口部を通して位置付けられることが可能である、項目１に記載の装置。
（項目８）
乳首形成装置であって、
胸部表面上への配置のための接触面を有する基部であって、前記基部は、開口部を規定し、前記開口部は、前記開口部を通して乳首を位置付けるためのサイズを有する、基部と、
前記基部から延在する柱状部であって、前記柱状部は、前記柱状部を通る開口部を規定する、柱状部と、
前記基部と反対の、前記柱状部の遠位端に位置付けられている付勢機構であって、前記柱状部は、前記付勢機構の高さが前記基部に対して調節可能であるようにネジ式である、付勢機構と、
前記柱状部内に位置付けられるためのサイズを有する移植片であって、前記移植片は、前記基部に近接して、前記胸部の表面の下方に位置付け可能である、移植片と
を備えている、装置。
（項目９）
前記柱状部は、高さ調節可能部材を備えている、項目８に記載の装置。
（項目１０）
前記付勢機構は、第１の磁気部材を備えている、項目８に記載の装置。
（項目１１）
前記移植片は、前記第１の磁気部材と反対の極性の第２の磁気部材を備えている、項目１０に記載の装置。
（項目１２）
前記移植片は、強磁性材料を備えている、項目１０に記載の装置。
（項目１３）
前記胸部の表面の下方に配置するためのサイズを有する、非鉄系材料から成る第２の移植片をさらに備えている、項目８に記載の装置。
（項目１４）
胸部拡大装置であって、
前から存在する胸部の上への配置のためのサイズを有するカップまたは成形型を備え、
前記カップまたは成形型は、密閉可能な真空ポートを規定し、
前記カップまたは成形型の内面は、胸部組織への固定のための接着剤を備えている、
装置。
（項目１５）
乳首を形成する方法であって、
成形型が胸部表面に適合するように、湾曲している接触面を有する第１の成形型を胸部上に接着することであって、前記成形型は、前記接触面に沿って第１の空洞を規定し、前記第１の空洞は、前記胸部上に形成される乳首のサイズに適合している、ことと、
第１の期間の間、前記胸部上に前記成形型を維持することと、
前記胸部から前記成形型を除去し、少なくとも、接触面を有する第２の成形型を前記胸部上に接着することであって、前記第２の成形型は、前記第１の空洞より大きい第２の空洞を規定する、ことと、
第２の期間の間、前記胸部上に前記第２の成形型を維持することであって、前記第２の成形型が前記胸部から除去された場合、前記乳首のサイズは、維持される、ことと
を含む、方法。
（項目１６）
前記乳首内、または、前記乳首に接近して、移植片を挿入することをさらに含む、項目１５に記載の方法。
（項目１７）
前記第１の成形型を接着することは、前記接触面上に配置されている接着剤を介して、前記第１の成形型を前記胸部の表面に接着することをさらに含む、項目１５に記載の方法。
（項目１８）
前記第１の成形型を接着することは、真空力を介して、前記空洞内に形成されるよう前記乳首を維持することを含む、項目１５に記載の方法。
（項目１９）
前記第１の成形型を接着することは、前記成形型を反転構成に反転することであって、それによって、前記接触面が、前記胸部の表面に対して露出されている態様で提供される、ことを含む、項目１５に記載の方法。
（項目２０）
前記乳首が形成される、前記胸部の表面上に、前記成形型表面を位置付けることをさらに含む、項目１９に記載の方法。
（項目２１）
前記反転構成から前記胸部の表面上に位置付けられている弛緩構成に前記成形型を再反転することをさらに含む、項目２０に記載の方法。
（項目２２）
前記胸部上に前記成形型を維持することは、１から３週間の間、前記成形型を維持することを含む、項目１５に記載の方法。
（項目２３）
前記胸部から前記成形型を除去することは、前記成形型を前記胸部から離すように反転させることにより、前記成形型から前記胸部の表面を解放することを含む、項目１５に記載の方法。
（項目２４）
前記少なくとも、第２の成形型を接着することは、前記接触面上に配置されている接着剤を介して、前記第２の成形型を前記胸部の表面に接着することを含む、項目１５に記載の方法。
（項目２５）
前記少なくとも、第２の成形型を接着することは、真空力を介して、前記空洞内に前記乳首を維持することを含む、項目１５に記載の方法。
（項目２６）
前記胸部上に前記第２の成形型を維持することは、さらに１から３週間の間、前記第２の成形型を維持することを含む、項目１５に記載の方法。
（項目２７）
前記胸部から前記第２の成形型を除去し、少なくとも、前記胸部上への接触面を有する第３の成形型を接着することをさらに含み、前記第３の成形型は、前記第２の空洞より大きい第３の空洞を規定する、項目１５に記載の方法。
（項目２８）
さらに１から３週間の間、前記第３の成形型を前記胸部上に維持することをさらに含む、項目２７に記載の方法。
（項目２９）
乳首を形成する方法であって、
成形型が胸部表面に適合するように、湾曲している接触面を有する前記成形型を胸部上に接着することであって、前記成形型は、前記接触面に沿って空洞を規定し、前記空洞は、前記胸部上に形成される乳首のサイズに適合している、ことと、
ある期間の間、前記胸部上に前記成形型を維持することであって、前記成形型が前記胸部から除去された場合、前記乳首のサイズは、維持される、ことと、
を含む、方法。
（項目３０）
前記移植片を挿入することは、前記胸部内に前記移植片を外科的に挿入することを含む、項目２９に記載の方法。
（項目３１）
前記成形型を接着することは、前記接触面上に配置されている接着剤を介して、前記成形型を前記胸部の表面に接着することを含む、項目２９に記載の方法。
（項目３２）
前記成形型を接着することは、真空力を介して、前記乳首を前記空洞内に維持することを含む、項目２９に記載の方法。
（項目３３）
成形型は、前記成形型を反転構成に反転することであって、それによって、前記接触面が、前記胸部の表面に対して露出されている態様で提供される、ことを含む、項目２９に記載の方法。
（項目３４）
前記乳首が形成される、前記胸部の表面上に前記成形型を位置付けることをさらに含む、項目３３に記載の方法。
（項目３５）
前記反転構成から前記胸部の表面上に位置付けられている弛緩構成に前記成形型を再反転することをさらに含む、項目３４に記載の方法。
（項目３６）
前記成形型を前記胸部上に維持することは、１から３週間の間、前記成形型を維持することを含む、項目２９に記載の方法。
（項目３７）
前記成形型を前記胸部から除去することは、前記成形型から前記胸部の表面を解放するために、前記成形型を前記胸部から離すように反転させることを含む、項目２９に記載の方法。
（項目３８）
前記胸部から前記成形型を除去し、少なくとも、前記胸部上に、接触表面を有する第２の成形型を接着することをさらに含み、前記第２の成形型は、前記空洞より大きい第２の空洞を規定する、項目２９に記載の方法。
（項目３９）
前記少なくとも、第２の成形型を接着することは、接着剤を介して、前記空洞内に前記乳首を維持することを含む、項目３８に記載の方法。
（項目４０）
前記胸部から前記第２の成形型を除去し、少なくとも、前記胸部上に、接触面を有する第３の成形型を接着することをさらに含み、前記第３の成形型は、前記第２の空洞より大きい第３の空洞を規定する、項目３９に記載の方法。
（項目４１）
前記胸部上に前記第２の成形型を維持することは、１から３週間の間、前記第２の成形型を維持することを含む、項目３９に記載の方法。